(57)【特許請求の範囲】
【請求項１】
金属線材からなる複数本の杆体を結合して作られた上向きに開口した網かごにおいて、かご側部の隣接する２本の側部杆間に、かご底部から適宜の高さを採って水平係止杆を固着し、該水平係止杆の先端部を側部杆の外側に突出させ、取っ手は、金属線材をコ字状に屈曲して基部当て杆の両側に把持杆を形成し、把持杆の上下端寄り部分を、側方から見て内向きに傾斜させ、かつ、把持杆上端に外向きにＵ字状の係止部を曲設して取っ手を構成し、該取っ手の把持杆を、網かご内から前記水平係止杆の先端部下側の空間に通し、基部当て杆を水平係止杆に係止させた状態で、把持杆上端の係止部を、網かごの開口枠杆に内側から着脱自在に係止させたことを特徴とする網かごの取っ手構造。
【請求項２】
把持杆上端に曲設した係止部を斜め下向きに開口させ、かつ、網かご内で、取っ手の基部当て杆を水平係止杆の下側に位置させた状態で、把持杆上端の係止部を網かごの開口枠杆に対し外側から近づけた時に、係止部の内奥部と開口枠杆の位置がほぼ真横に並ぶ長さに取っ手の全長を設定したことを特徴とする請求項１記載の網かごの取っ手構造。
【請求項３】
取っ手の両方の把持杆の内幅を、網かごの隣接する２本の側部杆の外幅にほぼ一致させて設定したことを特徴とする請求項１又は２記載の網かごの取っ手構造。
【発明の詳細な説明】
【０００１】
【発明の属する技術分野】
本発明は、網かごの取っ手構造に関するものであり、さらに詳しくは、比較的小型の網かごに適用して網かごの外側に対し着脱自在に取り付け、網かごの取り扱いを便利にする網かごの取っ手構造に関するものである。
【０００２】
【従来の技術】
従来より、金属線材を屈曲した複数本の屈曲杆を結合してなる上向きに開口した網かごが実用されている。
【０００３】
この種の網かごで、比較的大型の網かごには、網かごの開口枠杆の２個所に取っ手が組み付けてあって網かごを持ち上げたり移動させたりするのに便利にできている構造のものも多い。
【０００４】
一方、小型の網かごは、内容物を収容した状態でも、かご毎、持ち歩いたり移動させたりすることが簡単にできるので、特に、取っ手がなくても使用時に不便さを感じることがないので、取っ手を組み付けたものはほとんど市販されていない。また、小型の網かごは、さまざまな物品を収容するのに手軽に使用されるので、数が比較的多くなるもので、使用しない網かごは、上位網かごの下部を下位網かごの中に挿入して積み重ね、嵩を小さくして保管できるようにできているものが多い。
【０００５】
【発明が解決しようとする課題】
ところが、一般家庭などで、吊り戸棚やキッチンストッカー等に対し、小型の網かごを使用して小物や食品等を収納する場合、例えば、高い棚の上に手を伸ばして取っ手のない網かごを出し入れするのに、網かご自体に直接手を掛けて出し入れするには、何かと不便なものであり、かごの持ち方が不安定になって収容物をこぼしたりすることも起き易い。
【０００６】
そこで、本発明は、比較的小型の網かごに適用し、取っ手が網かごの外側に着脱自在に取り付けられて、網かごが収納される高い棚等からでも引き出し式に網かごの出し入れができて網かごの取り扱いを便利にする網かごの取っ手構造を提供することも目的としたものである。
【０００７】
【課題を解決するための手段】
上記の目的を達成するために、本発明に係る網かごの取っ手構造は、金属線材からなる複数本の杆体を結合して作られた上向きに開口した網かごにおいて、かご側部の隣接する２本の側部杆間に、かご底部から適宜の高さを採って水平係止杆を固着し、該水平係止杆の先端部を側部杆の外側に突出させ、取っ手は、金属線材をコ字状に屈曲して基部当て杆の両側に把持杆を形成し、把持杆の上下端寄り部分を、側方から見て内向きに傾斜させ、かつ、把持杆上端に外向きにＵ字状の係止部を曲設して取っ手を構成し、該取っ手の把持杆を、網かご内から前記水平係止杆の先端部下側の空間に通し、基部当て杆を水平係止杆に係止させた状態で、把持杆上端の係止部を、網かごの開口枠杆に内側から着脱自在に係止させたことを特徴とする。
【０００８】
ここで、本発明が適用される網かご自体は、比較的小型のもので、金属線材をコ字状に屈曲して底部杆と、この底部杆の両側に側部杆を形成した複数本の屈曲杆体を使用し、これらの杆体の底部杆を縦横に格子状に結合してかご底部を形成し、底部杆から両側に立ち上げた各側部杆の上端を開口枠杆に結合してかご側部を形成した構成は、汎用の網かごと同じである。
【０００９】
このように構成した本発明の網かごの取っ手構造によれば、取っ手は網かごの外側にしっかり取り付けられるので、例えば、一般家庭において、吊り戸棚やキッチンストッカー等に、網かごを使用して小物や食品等を収納する場合に、高い棚の上に手を伸ばして取っ手を持って網かごの出し入れが簡単にでき、網かごを取り扱い易くする。また、取っ手を構成する把持杆は、適宜の間隔を採って縦方向に平行状とされる２本の把持杆を一緒に持って掌の中にしっかり握られるので、収容物の入った網かごの持ち方が不安定になって収容物をこぼしたりすることはなくなる。
【００１０】
また、把持杆上端に曲設した係止部を斜め下向きに開口させ、かつ、網かご内で、取っ手の基部当て杆を水平係止杆の下側に位置させた状態で、把持杆上端の係止部を網かごの開口枠杆に対し外側から近づけた時に、係止部の内奥部と開口枠杆の位置がほぼ真横に並ぶ長さに取っ手の全長を設定した構成とするのが好ましい。この場合、網かごへの取っ手の取り付けは、取っ手の基部当て杆を、水平係止杆の下側に位置させた状態で行われ、把持杆上端の係止部を網かごの開口枠杆の下をくぐらせて網かご内に入れた後、係止部を強制的に上向きに引き上げて係止部開口に開口枠杆を入れて手を離すと、開口枠杆は係止部内奥まで入り込んで安定し、取っ手は取り付けられる。
【００１１】
ここで、係止部の強制的な上向きの引き上げによって、取っ手の下部、すなわち、取っ手の基部当て杆が水平係止杆に係止し、把持杆は弾力的な変形を伴って伸長して係止部は開口枠杆に係止され、この係止後も把持杆の変形が若干残る弾力的な係止となり、取っ手は網かごとの一体化が図られる。
【００１２】
また、網かごから取っ手を外す時は、上記の逆順で行われるが、ここでも人為的に把持杆を変形を伴わせて係止部を引き上げない限りは、係止部の内奥から開口枠杆を開口側に移動させて係止を解くことができないので、使用中に不用意に取っ手が外れるようなことはない。
【００１３】
また、取っ手の両方の把持杆の内幅を、網かごの隣接する２本の側部杆の外幅にほぼ一致させた構成にすると、網かごに取っ手を取り付けて、隣接する２本の側部杆の外側面に対し、取っ手の両方の把持杆の上下端寄り部分の内側面が添接するので、取っ手は横ずれしたりすることなく安定性を向上する。
【００１４】
【発明の実施の形態】
以下、本発明の実施の形態の一例を、図面に基づいて説明する。
【００１５】
図１は網かごから取っ手を外した状態を示す全体斜視図、図２は網かごに取っ手を取り付けた状態を示す全体斜視図である。
【００１６】
図１，２において、１は上向きに開口させた網かご、２は網かご１の外側に着脱自在に取り付けられる取っ手を示す。
【００１７】
網かご１は、比較的小型のもので、実施の形態では、金属線材をコ字状に屈曲して底部杆とこの底部杆の両側に側部杆を形成した複数本の屈曲杆体を使用し、これらの杆体の底部杆を縦横に格子状に結合してかご底部３を形成し、底部杆の両側に立ち上げた各側部杆の上端を開口枠杆４に結合してかご側部５を形成したもので、取っ手２を取り付けるために、隣接する２本の側部杆５ａ間に、かご底部３から適宜の間隔を採って水平係止杆６を側部杆５ａ内側に固着し、この水平係止杆６の先端部６ａを両方の側部杆５ａから突出させている。
【００１８】
なお、本発明が適用される網かご１自体は、さまざまな物品を収容するのに手軽に使用される周知形態のもので、取っ手２が外された空の状態では、上位網かごの下部を下位網かごの中に挿入して積み重ねて嵩を小さくして保管可能とされる形態のものである。
【００１９】
取っ手２は、網かご１と同じ金属線材をコ字状に屈曲して作られ、この取っ手２は、基部当て杆７の両側に把持杆８を形成し、この把持杆８の上端を外向きにＵ字状に屈曲して網かご１の開口枠杆４に係止させる係止部９を曲設している。また、把持杆８の上下端寄り部分は、側方から見て丸みを付けて内向き（網かご側）に屈曲して傾斜を付け、網かご１に取り付けた状態で把持杆８の中間部を網かご１から浮かして手先が挿入される空間を形成するようにしている。なお、把持杆上端の係止部９は、把持杆８の上端寄り部分の傾斜に添って形成されるので、係止部９の開口９ａは自然に斜め下向きになっている。
【００２０】
また、取っ手２の寸法は、網かご１内から取っ手２の両方の把持杆８を、それぞれ係止杆先端部６ａの下方の空間に通して引き上げ、基部当て杆７を水平係止杆６に軽く係止させた状態で、把持杆上端の係止部９を網かご１の開口枠杆４に対して外側から近づけた時に、係止部９の内奥部と開口枠杆４の位置がほぼ真横に並ぶ長さに取っ手２の全長を設定し、取っ手２の両把持杆８の内幅は、網かご１の隣接する２本の側部杆５ａの外幅にほぼ一致するように設定している。
【００２１】
上記構成において、網かご１に対する取っ手２の取り付け要領を、図３（ａ），（ｂ），（ｃ），（ｄ）を参照しながら説明する。
【００２２】
図３（ａ）  取っ手２の両方の把持杆８を網かご１内から網かご１の２本の側部杆５ａ下部に固着した水平係止杆６の先端部６ａの下方の空間に通して引き上げる。
【００２３】
図３（ｂ）  取っ手２の基部当て杆７を水平係止杆６に軽く係止させた状態で、把持杆上端の係止部９を網かご１の開口枠杆４に近づける。
【００２４】
図３（ｃ）  一旦、把持杆上端の係止部９を下げて網かご１の開口枠杆４の下をくぐらせて網かご１の中に入れる。
【００２５】
図３（ｄ）  開口枠杆４の内側で、係止部９を強制的に上向きに引き上げて係止部９の開口９ａに開口枠杆４を入れてから手を離すと、開口枠杆４は係止部９内奥に入り込んで安定する。ここで、把持杆８は弾力的な変形を伴って伸長し、係止部９が開口枠杆４に係止した後も把持杆８の変形は若干残されるので、弾力的な係止となって取っ手２と網かご１との一体化が図られる。なお、網かご１から取っ手２を外すときは、上記の逆順で係止部９を引き上げ、把持杆８を伸長させて係止部９を開口枠杆４から外して行う。
【００２６】
【発明の効果】
本発明は、以上説明したような形態で実施され、本発明によれば、比較的小型の網かごに適用して網かごの外側に取っ手が着脱自在に取り付けられるので、一般家庭などで、吊り戸棚やキッチンストッカー等に対し、網かごを使用して小物や食品等を収納する場合に、網かごが収納される棚段から引き出し式に出し入れができて網かごの取り扱いを便利にする。また、取っ手は網かごと同じ金属線材を屈曲して作られ、網かごとの一体化が図られるので、外観的にも優れたものである。また、網かごから外した取っ手は嵩張らず保管するにも便利なものである。
【図面の簡単な説明】
【図１】網かごから取っ手を外した状態を示す全体斜視図である。
【図２】網かごに取っ手を取り付けた状態を示す全体斜視図である。
【図３】（ａ），（ｂ），（ｃ），（ｄ）は網かごに取っ手を取り付ける要領を説明す
【符号の説明】
１  網かご
３  かご底部
４  開口枠杆
５  かご側部
２  取っ手
５ａ  側部杆
６  水平係止杆
６ａ  係止杆先端部
７  基部当て杆
８  把持杆
９  係止部
９ａ  係止部の開口
【図１】
0003605380.tif 000002
【図２】
0003605380.tif 000003
【図３】
0003605380.tif 000004